(57)【特許請求の範囲】
【請求項１】
複数の発光素子が直列状に植設された基板を、透明、半透明等の透光性を備えた長尺状の円筒体に内嵌して発光素子表示ユニットを形成するにあたり、前記基板は、複数の発光素子が直列状に取付けられると共に該取付けられた発光素子の配線が施されたプリント基板とし、該プリント基板を、底面板、天井面板、背面板、そして上下間隙を存して対向する上下正面板を備えて構成される支持フレームに内嵌支持すると共に、前記支持フレームを、底面板の下正面板と背面板との前後両コーナー部が円筒体内周面に当接するようにして円筒体に内嵌支持して構成される発光素子表示ユニット。
【請求項２】
請求項１において、円筒体の左右両端部には、電源供給のため電気的接続をするカプラを内装するためのカプラ室になっている発光素子表示ユニット。
【発明の詳細な説明】
【０００１】
【発明の属する技術分野】
本発明は、広告や道路での表示、土木、建設あるいは工事現場等の表示に用いられる発光素子表示ユニットの技術分野に属するものである。
【０００２】
【従来の技術】
従来から、この様な表示をするものとしてネオンサイン（ネオン管）や電球に換えて発光素子（発光ダイオード、ＬＥＤ）を採用することが試みられている。ところが、この様な発光素子を採用するにあたり、長尺物の表示をしたいことがあり、この場合、実開昭５９−１５５０６６号公報に示されるごとく、配線により一連状に繋がった複数の発光素子を、透明状の筒体内に直接植設するようにしたものが提唱される。ところがこのものは、発光素子を筒体内深くにおいて植設することが難しいうえ、配線が筒体を通して外部から直接目視されることとなって実用性に乏しいという問題が有る。
そこで、実開昭６１−１１２３９２号公報、実開平２−７８９８３号公報、実開平２−８１５８０号公報に示すごとく、発光素子を必要な配線が施されたプリント基板に取付け、このプリント基板を円筒体に嵌入取付けするようにして発光素子の植設作業を簡略化すると共に、配線をプリント基板で隠すようにしたものが知られている。
【０００３】
【発明が解決しようとする課題】
そしてこのものにおいて、発光素子は指向性が高いという特性が有るため、その取付け方向（発光方向）が揃った状態に組込むことが要求される。ところでプリント基板を筒体に支持固定するにあたり、筒体周部から挿入したビス等で直接プリント基板を固定することが考えられるが、このものでは、筒体に穿設したビス孔から雨水等の水が浸入した場合に、該浸入した水がビスを通じてプリント基板に達し、これによって電気的トラブルを生じる惧れがあって、屋外用として採用することは事実上難しい。
これに対し、前記実開平２−８１５８０号公報に示されるごとく筒体左右両端部を塞ぐキャップに溝を設け、該溝にプリント基板の左右両端部を嵌合することで円筒体に支持固定するようにすることが提唱される。そしてこのものでは、長さの短いものであればプリント基板の左右両端部だけの支持でもあまり問題は生じないが、長くなった場合に、左右両端部だけの支持ではプリント基板が前後方向に撓んでしまうという問題が有り、ここに本発明の解決すべき課題がある。
【０００４】
【課題を解決するための手段】
本発明は、上記の如き実情に鑑みこれらの課題を解決することを目的として創作されたものであって、複数の発光素子が直列状に植設された基板を、透明、半透明等の透光性を備えた長尺状の円筒体に内嵌して発光素子表示ユニットを形成するにあたり、前記基板は、複数の発光素子が直列状に取付けられると共に該取付けられた発光素子の配線が施されたプリント基板とし、該プリント基板を、底面板、天井面板、背面板、そして上下間隙を存して対向する上下正面板を備えて構成される支持フレームに内嵌支持すると共に、前記支持フレームを、底面板の下正面板と背面板との前後両コーナー部が円筒体内周面に当接するようにして円筒体に内嵌支持して構成される発光素子表示ユニットである。
これによって、一列状に長い発光素子が取り付けられるプリント基板であっても、該プリント基板が支持フレームに確りと固定されているので、前後方向にプリント基板が撓んでしまうことがなく、発光素子の指向方向を希望通りにセットすることができる。しかも、プリント基板は、円筒体ではなく該円筒体に内嵌する支持フレーム５に支持固定されるので、表示ユニットにはプリント基板を円筒体に固定するためのビス孔や両者を緊締するためのビスもなく、このため雨水等がこれらを伝わってプリント基板に流れ込んで電気的障害を来すようなことも回避される。
また、このものにおいて、円筒体の左右両端部には、電源供給のため電気的接続をするカプラを内装するためのカプラ室になっており、これによって、リード線を接続するための手間が低減して、作業性の向上が計れる。
【０００５】
【発明の実施の形態】
次に、本発明の実施の形態について図１〜図５を用いて説明する。
図において、１は本発明が実施された形態の発光素子表示ユニットであって、該ユニット１は、アクリル樹脂等の素材からなる透明、半透明等の透光性を備えた円筒体２を用いて構成されている。円筒体２としては無色のものが一般であるが、黄色、赤色、青色等、適宜の色に着色したものを必要において用いることができる。
【０００６】
また、３は発光ダイオード（発光素子、ＬＥＤ）であって、該発光ダイオード３は、必要な配線が施された左右方向に長尺状（説明上、左右方向としたが縦置きに使用する場合には上下方向に長尺状となることはいうまでもない）のプリント基板４に長手方向に一列になるよう植立されている。発光ダイオード３としては、必要において二列、三列等、複数列に配することもできることはいうまでもない。そして本実施の形態では、三枚のプリント基板４を長手方向に直列配置して表示ユニット１を形成することになるが、その場合に、図１に示すように、発光ダイオード３の指向方向が、中央プリント基板４Ｍでは正面方向に、左側プリント基板４Ｌでは左側方向に、右側プリント基板４Ｒでは右側方向にそれぞれ向くよう配されている。
【０００７】
５は前記円筒体に内嵌される支持フレームであって、該支持フレーム５は、底面板５ａ、天井面板５ｂ、背面板５ｃ、そして上下間隙を存して対向する上下正面板５ｄ、５ｅを備えてリップ溝型に形成されていて、前記三枚のプリント基板４を、上下正面板５ｄ、５ｅの間隙から発光ダイオード３が突出する状態で一列状に内嵌できるようになっている。背面板５ｃには、前記各プリント基板４の左右両端部に対応する突起６が内側に向けて突設される一方、左右方向中央部には突起７が外側に向けて突設されている。両突起６、７にはビス孔６ａ、７ａがそれぞれ穿設されるが、各プリント基板４は、正面側から貫通したビス８をビス孔６ａに螺装することで左右両端部の螺着固定ができるようになっている。そしてこの様に、各プリント基板４が固定された支持フレーム５は前記円筒体２に内嵌することになるが、その場合に支持フレーム５は、底面板５ａの下正面板５ｅと背面板５ｃとの前後両コーナー部５ｆ、５ｇが円筒体２の内周面に当接するようにして前後方向倒れ止め状に位置決めされて内嵌し、該内嵌した支持フレーム５は、円筒体２の左右方向中央部に穿設した孔２ａを通してビス９を前記ビス孔７ａ（該ビス９のビス頭の径はビス孔７ａの径より小径になっていて、ビス９のビス頭が円筒体２の外周からはみ出さないように配慮されている）に螺装することで左右方向の位置決めがなされるようになっている。
尚、１０は各プリント基板４に対するリード線であって、該リード線１０は、プリント基板４と支持フレーム５とのあいだの間隙を通って配線され、これによって背面視からもリード線１０が見えないように配慮されている。
【０００８】
１１は円筒体２の左右両端部を封止するためのキャップであって、該キャップ１１にはリード線１０を挿通するための溝１１ａが刻設されているが、キャップ１１は、円筒体２の左右両端よりも奥深い位置まで弾圧状に内嵌される。そしてキャップ１１よりも外側の円筒体２の左右両端部に、電源供給のため電気的接続をするカプラ１２、１２ａを内装するためのカプラ室２ｂが構成されている。
カプラ１２、１２ａは、制御部１３から引出されたリード線１４に接続されたカプラ１５との接続、必要において隣接表示ユニット１同志を電気的に接続するためのものである。尚、１６は円筒体２に穿設したビス孔２ａを封止するためのシールである。
【０００９】
叙述のごとく構成された本発明の実施の形態において、表示ユニット１は、一列状に長い発光ダイオード３を内装するものであるが、この場合のプリント基板４は、左右両端部を封止するためのキャップ１１ではなく、円筒体２に内嵌される支持フレーム５に適数個所で固定されるものであるため、仮令長いものであっても前後方向にプリント基板４が撓んでしまうことがなく、発光ダイオード３の指向方向を希望通りにセットすることができる。しかも、この様に撓むことがない状態で筒内に確りと取付けられるプリント基板４でありながら、該プリント基板４は、円筒体２ではなく該円筒体２に内嵌する支持フレーム５に支持固定されるものであるから、表示ユニット１にはプリント基板４を円筒体２に固定するためのビス孔や両者を緊締するためのビスもなく、このため雨水等がこれらを伝わってプリント基板４に流れ込んで電気的障害を来すようなことも回避される。
尚、本実施の形態において、円筒体２には、支持フレーム５を支持するためのビス孔２ｂが穿設され、該ビス孔２ｂから水が浸入する（シール１６の一部が破損したり剥離した場合を想定）ことが考えられる。しかしながら、該ビス孔２ｂから浸入した水は、支持フレーム５の背面から底面に流れ落ちるだけで支持フレーム５のプリント基板４が内嵌される側には流れ込むことが防止されることとなって問題となることはない。
【００１０】
しかもこの表示ユニット１は、電気的な接続をするためのカプラ１２、１２ａが円筒体２の左右両端部に形成されたカプラ室２ｂに収容されるため、リード線を接続するための手間も低減し、作業性の向上が計れることになる。
【図面の簡単な説明】
【図１】発光素子表示ユニットの正面図である。
【図２】発光素子表示ユニットの平面図である。
【図３】発光素子表示ユニットの拡大正面断面図である。
【図４】発光素子表示ユニットの拡大平面断面図である。
【図５】（Ａ）は、図４のＸ−Ｘ断面図、（Ｂ）は、図４のＹ−Ｙ断面図である。
【符号の説明】
１    発光素子表示ユニット
２    円筒体
２ａ  ビス孔
２ｂ  カプラ室
３    発光ダイオード
４    プリント基板
５    支持フレーム
６    突起
６ａ  ビス孔
７    突起
７ａ  ビス孔
８    ビス
９    ビス
１０    リード線
１１    キャップ
１２    カプラ
１２ａ  カプラ
１３    制御部
１４    リード線
１５    カプラ
１６    シール
【図１】
0003695866.tif 000002
【図２】
0003695866.tif 000003
【図３】
0003695866.tif 000004
【図４】
0003695866.tif 000005
【図５】
0003695866.tif 000006